(57)【特許請求の範囲】
【請求項１】
カップ容器の開口部を封止するための蓋材において、
該蓋材の周縁が、曲線状の山部と曲線状の谷部とが交互に連続する波形であり、
前記蓋材を区画するハーフカット線またはミシン線が形成されており、
前記ハーフカット線又はミシン線の両端部が前記谷部に位置することを特徴とする、蓋材。
【請求項２】
カップ容器の開口部を封止するための蓋材において、
該蓋材の周縁が、曲線状の山部と曲線状の谷部とが交互に連続する波形であり、
前記蓋材の周縁に切込みが形成されており、
前記切込みの外方端部が前記谷部に位置することを特徴とする、蓋材。
【請求項３】
前記山部及び前記谷部が直径２ｍｍ〜１０ｍｍの円弧により形成されており、
前記波形の振幅が０．３ｍｍ〜３ｍｍである、請求項１または２に記載の蓋材。
【発明の詳細な説明】
【技術分野】
【０００１】
本発明は、カップ容器の開口部を封止するための蓋材に関する。
【背景技術】
【０００２】
開口部をシート状の蓋材で封止したカップ容器は、即席麺、即席スープ、菓子などの食品等を包装する容器として広く用いられている。このようなカップ容器の開口部を封止するための蓋材（以下、本明細書中で単に『蓋材』と称する場合がある。）の多くは、数種の樹脂層や金属箔を含む多層積層体により形成されている。また、蓋材の形状には、その用途目的に応じて細やかな工夫がなされており、蓋材に切込みやハーフカット線を形成すること等により、様々な機能を付与することが提案されている（例えば、特許文献１〜特許文献３）。
【先行技術文献】
【特許文献】
【０００３】
【特許文献１】特開２００９−７３５６２号公報
【特許文献２】特開２０１０−８９８０５号公報
【特許文献３】特開２０１０−１００３３８号公報
【発明の概要】
【発明が解決しようとする課題】
【０００４】
このような蓋材は、強度や機能において優れている反面、手触りがあまり良くなかった。食品等の包装作業に従事する者や消費者が蓋材の周縁に触れた際には、手指に蓋材が食い込むような違和感を覚え、時には痛みを感じる場合もあった。このような状況に鑑みると、蓋材周縁に対する接触角度や接触速度等の諸条件によっては、手指等を蓋材によって切傷する可能性も否定できなかった。また、物流時等に負荷される外力により、蓋材の一部の層が、切込みやハーフカット線の端部から、意図せずめくれあがる、いわゆる『ささくれ』の問題があった。
【０００５】
本発明は、上記諸問題に鑑み、強度等の蓋材に要求される諸特性に優れ、さらに、手触りが良い蓋材を提供することを目的とする。
【０００６】
本発明はまた、ささくれの発生が極めて低減された、蓋材を提供することを目的とする。
【課題を解決するための手段】
【０００７】
本発明者は上記課題を解決すべく鋭意検討した結果、蓋材の周縁を波形にすることにより手触りが飛躍的に良くなること、及びささくれの発生が顕著に低減することを見出し、本発明を完成した。
【０００８】
すなわち、本発明は、カップ容器の開口部を封止するための蓋材において、該蓋材の周縁が、曲線状の山部と曲線状の谷部とが交互に連続する波形であり、蓋材を区画するハーフカット線またはミシン線が形成されており、ハーフカット線又はミシン線の両端部が谷部に位置することを特徴とするものである。
【０００９】
また、本発明は、カップ容器の開口部を封止するための蓋材において、該蓋材の周縁が、曲線状の山部と曲線状の谷部とが交互に連続する波形であり、蓋材の周縁に切込みが形成されており、切込みの外方端部が谷部に位置することを特徴とするものである。
【００１０】
山部及び谷部は直径２ｍｍ〜１０ｍｍの円弧により形成されており、波形の振幅は０．３ｍｍ〜３ｍｍであることが好ましい。
【発明の効果】
【００１２】
本発明の蓋材は、手触りが優れているため、その取扱いを快適に行なうことができる。また、蓋材に切込み等を配した場合でも、ささくれの発生が顕著に抑制されており、運搬時に受ける衝撃等によりその外観や機能が損なわれる懸念も少ない。
【図面の簡単な説明】
【００１３】
【図１】実施例で作製した湯切機能つき蓋材を示す平面図で、（ａ）は全体図であり、（ｂ）は剥離用タブ近傍の拡大図
【図２】山部及び谷部が円弧により形成されている波形の仕様を示す図
【図３】本発明の蓋材の一態様を示す概略図
【図４】本発明の蓋材の一態様を示す概略図
【図５】図１（ｂ）の、Ａ−Ａ´部分断面概略図
【図６】実施例で作製した蓋材の使用例を示す斜視図
【図７】カット性評価試験の試験方法を示す断面概略図
【発明を実施するための形態】
【００１４】
以下、必要に応じて図面を参照して、本発明を詳細に説明する。
【００１５】
本発明の蓋材は、封止されるべきカップ容器の開口部とほぼ同一外形のシート状体であり、その周縁が波形であることに特徴を有する。本発明の実施の一態様（湯切機能つき蓋材）を図１に示す。なお、図１の湯切機能つき蓋材については、実施例において詳述する。
【００１６】
本発明において、波形とは、曲線である山部と曲線である谷部とが交互に連続する形状である。すなわち、本発明において波形には、矩形波や三角波に代表されるような直線により構成される波の形は含まない。なお、波形は、直線を含む曲線であってもよい。具体的には、例えば、曲線である山部と曲線である谷部とが直線によってなめらかに結ばれている曲線が挙げられる。
【００１７】
波形を構成する各山部及び各谷部の形状は、それらが曲線により構成されている限り特に制限されないが、例えば、円弧又は楕円弧により形成される。なお、円弧には、実質的な円弧（略円弧）を含み、楕円弧には、実質的な楕円弧（略楕円弧）を含む。また、各山部及び各谷部の大きさは、蓋材の大きさや形に応じて適宜選択することができ、特に制限されない。
【００１８】
上述の波形について、山部及び谷部が円弧により形成されている場合を例に、図２を参照して、さらに詳細に説明する。図２に示すように、波形の曲線１１は、蓋材の外形に沿って仮想円１２及び仮想円１３を交互に並べ、仮想円１２及び仮想円１３の円周の一部を連ねて構成されている。より詳細には、各々の円の中心がジグザグとなり、かつ、隣り合う円同士が外接するように複数の仮想円１２及び仮想円１３を配置する。仮想円１２は、仮想円１３との接点によって、山部１４を構成する円弧と他の円弧に区分される。仮想円１３は、仮想円１２との接点によって谷部１５を構成する円弧と他の円弧とに区分される。山部１４を構成する円弧と谷部１５を構成する円弧とを結ぶことによって曲線１１を描くことができる。なお、山部１４を形成する円弧及び谷部１５を形成する円弧は、いずれも優弧ではない。
【００１９】
仮想円１２及び仮想円１３の直径、即ち、山部１４を形成する円弧及び谷部１５形成する円弧の直径は、通常、２ｍｍ〜１０ｍｍ、好ましくは４ｍｍ〜１０ｍｍ、特に好ましくは６ｍｍ〜１０ｍｍである。山部１４を形成する円弧及び谷部１５形成する円弧の直径が前記範囲外であると、手触りが悪い場合がある。山部の曲率と谷部の曲率とは互いに同一であってもよく、異なっていてもよいが、通常、一の蓋材において山部の曲率は１種であり、谷部の曲率も１種である。
【００２０】
山部の各頂点に接する山部包絡線１６と、谷部の各頂点に接する谷部包絡線１７との間隔を、波形の振幅１８と定義する。波形の振幅１８は、通常、０．３ｍｍ〜３ｍｍであり、好ましくは０．４ｍｍ〜２ｍｍである。振幅１８が０．３ｍｍよりも小さいと、手触りが十分に良くならない場合があり、振幅１８が３ｍｍより大きいと、カップ容器の開口部の封止に支障をきたす場合や、外観が優れない場合がある。
【００２１】
波形の山部及び谷部が円弧以外の曲線により形成されていても、上記と同様にして波形の振幅を定義することができる。この場合においても、波形の振幅は、通常、０．３ｍｍ〜３ｍｍであり、好ましくは０．４ｍｍ〜２ｍｍである。
【００２２】
以下に、本発明の蓋材の他の具体的態様を示す。図３は、蓋材を区画するハーフカット線２２(ミシン線)を形成することにより、デッドホールド性（開封後の形状を保持する性質）を改善した蓋材の上面図である。蓋材の周縁は、山部と谷部とが交互に連続する波形である。図３に示す通り、ハーフカット線２２の両端部は、波形の谷部に位置している。カップ容器を封止した状態の蓋材は、開口タブ２１を手がかりにして、カップ容器から簡易かつ快適に引き剥がし、開封することができる。
【００２３】
図４は、ちぎり取りタブ２４を引っ張り、切込み２３から蓋材の一部を容易にちぎり取ることができる蓋材の平面図である。カップ容器の開口部を図４に示す蓋材で封止した場合は、蓋材の一部をちぎり取ることにより、切込み２３の周辺に開口部（小窓）を形成することができる。図４に示すように、切込み２３の外方端部は、波形の谷部に位置している。カップ容器を封止した状態の蓋材は、開口タブ２１を手がかりにして、カップ容器から簡易かつ快適に引き剥がし、開封することができる。
【００２４】
シート状の蓋材は、下記詳述する多層積層体により形成することができる。この場合には、ハーフカット線やミシン線により蓋材を区画し、該蓋材でカップ容器の開口部を封止後、区画された部分における表面層を剥離して、蓋材に種々の機能を付与することができる。表面層と他の層との間には、剥離ニスなどの剥離加工が施されている場合が多い。それゆえ、従来の蓋材は、運搬時の外力等によりハーフカット線やミシン線の端部、あるいは切込みから、表面層が意図せずめくれあがる、いわゆるささくれの問題が発生しやすかった。本発明の蓋材は、蓋材を区画するハーフカット線及び／又はミシン目の両端が、波形周縁の谷部に位置している。また、切込みの外方端部が波形周縁の谷部に位置している。これにより、手指や他の物体と切込み部分との接触が起こりにくくなるので、ささくれの問題が顕著に低減されている。
【００２５】
本発明の蓋材は、適宜な薄葉体により形成される。薄葉体は単層でもよく、複数の層からなる多層積層体でもよい。薄葉体を構成する材料としては、紙、金属箔、プラスチックフィルムが挙げられ、これらの中から１種又は２種以上を選択して使用することができる。紙としては、例えば、坪量５０ｇ／ｍ2〜１５０ｇ／ｍ2のアート紙を挙げることができる。金属箔としては、アルミニウム箔を例示することができる。プラスチックフィルムとしては、ポリエチレンテレフタレート（ＰＥＴ）フィルム、低密度ポリエチレン（ＬＤＰＥ）フィルム、２軸延伸ポリエチレン（ＯＰＥ）フィルム等を例示することができるがこれらに制限されない。積層体の層構成としては、例えば、ＰＥＴ／紙／ＰＥ／Ａｌ／シーラント、紙／ＰＥ／Ａｌ／シーラント、ＰＥＴ／紙／ＰＥ／ＯＰＥ／Ａｌ／シーラント、紙／ＰＥＴ／ＰＥ／ＰＥＴ／Ａｌ／シーラント、ＰＥＴ／紙／ＰＥＴ／シーラント、紙／ＰＥＴ／シーラントなどを挙げることができる。積層体には、各層を接着するための接着剤層や、剥離層、絵柄等を印刷するためのインク層等が含まれていてもよく、その他、シート状蓋材を構成する積層体に含まれる層として公知慣用のものが含まれていてもよい。
【００２６】
積層体を構成する層の厚みは特に制限されず、積層体が所望の特性を発現するように適宜選択すればよい。なお、積層体の総厚み（蓋材の厚み）は５０μｍ〜１ｍｍの範囲とするのが好ましい。
【００２７】
本発明の蓋材の外形は特に制限されず、カップ容器の開口部の形に応じて適宜選択することができる。本発明の蓋材の外形としては、上述の略円形のほか、略楕円形、四角形等の多角形などを例示することができる。また、蓋材の大きさも特に制限されず、カップ容器の開口部の大きさに応じて、該開口部と蓋材との接着性や概観を考慮して適宜選択することができる。なお、蓋材周縁の一部（例えば、タブ形成部分など、手指等との接触が極めて制限されている部分や、波形とすることが容易ではない部分）が波形でない蓋材も、本発明に包含される。
【実施例】
【００２８】
以下、実施例を示して本発明を詳細に説明するが、本発明はこれらに制限されない。
【００２９】
（実施例１）
図１に、実施例１で作製した湯切り機能つき蓋材を示す。図１（ａ）は、蓋材の平面図であり、図１（ｂ）は、剥離用タブ２８近傍の拡大図である。この蓋材を用いれば、カップ中に混在する液体と固体から、簡易に液体を分離除去できる。図５は、図１（ｂ）における、Ａ−Ａ´線断面概略図である。図中３１〜４０の各層の素材、及び厚みを表１に示す。なお、剥離ニス３６はドット塗工した。
【００３０】
【表１】
0005573475.tif 000002
【００３１】
実施例１の蓋材は、直径１８ｃｍの略円形である。該蓋材は積層体により構成されており、その層構成は、図５、及び表１に示す通り、ＰＥＴ３１／接着剤３２／インキ３３／紙３４／目止めニス３５／剥離ニス３６／ＬＤＰＥ３７／ＯＰＥ３８／接着剤３２／アルミニウム３９／接着性樹脂４０である。なお、表１に示す通り、ＰＥＴ３１、接着剤３２、インキ３３、紙３４、及び目止めニス３５よりなる層を表面層と称し、ＬＤＰＥ３７、ＯＰＥ３８、接着剤３２、アルミニウム３９、及び接着性樹脂４０からなる層を裏面層と称す。蓋材の周縁は、直径２ｍｍの円弧である山部と、直径２ｍｍの円弧である谷部とが交互に連続する波形であり、波形の振幅は１．０ｍｍとした。蓋材はミシン線２７によって、表面層剥離部分と非剥離部分とに区画した。ミシン線２７の両端部は、波形の谷部に位置している。非剥離部分には、開口タブ２１を設けた。開口タブ２１は、表面層、剥離層、及び裏面層を同時にカップ容器より剥離する際に使用するためのタブである。表面層剥離部分には、剥離用タブ２８を設けた。剥離用タブ２８は、剥離用タブタブハーフカット線２５によって蓋材本体から区画されている。なお、剥離用タブハーフカット線２５は、裏面層のみを切断する線であって、表面層には基本的に到達していない。剥離用タブハーフカット線２５の両端部は、波形の谷部に位置している。表面層剥離部分には、湯切孔ハーフカット線２６を配した。湯切孔ハーフカット線２６は、直径６ｍｍの円形であり、剥離用タブハーフカット線２５同様、裏面層のみを切断する線である。湯切孔ハーフカット線２６は図示した通り、１５個配した。また、ミシン線２７と剥離用タブハーフカット線２５が交わる位置に、切込み２３を設置した。切込み２３は蓋材を構成する全層を貫通する切込みである。なお、切込み２３の外端部は波型の谷部に位置するように設置した。
【００３２】
図６に実施例１で作製した蓋材の使用例を示す。具体的には、即席食品（カップ焼きそば等）の包装材としての使用例である。図中、蓋材は、内容物が充填されたカップ容器４１の、開口部上面４１ａにヒートシールされ、カップ容器４１の開口部を封止する。カップ容器４１の内容物の喫食等に際しては、まず、開口タブ２１から蓋材を一部剥離して湯を注ぐ。開口タブ２１を封止時と同じ位置に戻して一定時間放置する。一定時間経過後、剥離用タブ２８からミシン線２７に沿って、蓋材の表面層剥離部分の表面層を剥離する。表面層剥離部分の裏面層は、カップ容器への接着状態が保たれるが、剥離用タブハーフカット線２５によって区画されている剥離用タブ２８部分及び湯切孔ハーフカット線２６により囲まれている部分は、裏面層が表面層に伴ってカップ容器から剥離される。その結果、蓋材には湯切孔４２が形成され、この湯切孔４２から湯を除去すれば、内容物をカップ容器内に留めたまま、簡易に湯と内容物とを分離することができる。
【００３３】
（実施例２）
円弧の直径を３ｍｍとしたことを除き、実施例１と同じ蓋材を得た。
【００３４】
（実施例３）
円弧の直径を６ｍｍとしたことを除き、実施例１と同じ蓋材を得た。
【００３５】
（実施例４）
円弧の直径を１０ｍｍとしたことを除き、実施例１と同じ蓋材を得た。
【００３６】
（実施例５）
円弧の直径を６ｍｍとし、波形の振幅を０．６ｍｍとしたことを除き、実施例１と同じ蓋材を得た。
【００３７】
（比較例１）
蓋材の周縁が波形でないことを除き、実施例１と同じ蓋材を得た。
【００３８】
（評価試験）
〔手触り試験〕
本発明の蓋材の手触りを評価するために、実施例及び比較例で作製した蓋材について、市販の腸詰ソーセージを用いたカット性試験を行なった。試験方法を、図７を参照しつつ説明する。蓋材を切断し、サンプルを作製した。該サンプルは、蓋材の中心蓋材の中心を通る直線を中心とする、幅３０ｍｍのテープ状である。図示するように、サンプルを、高さ３ｍｍが露出するように、チャックで挟んで固定する。腸詰ソーセージ（図中、『腸詰』と示す。）を、チャックから２ｍｍの距離を保ちつつ、３００ｍｍ／ｍｉｎの速さで、図中矢印で示す方向に走査した。走査後の腸詰ソーセージを肉眼観察し、切傷の有無を確認した。試験は各実施例および比較例ごとに１０回行なった。腸詰ソーセージに切傷が発生した回数を表２に示す。切傷が発生しない実施例３乃至５の蓋材は、蓋材の周縁に触れた際の手触りが極めて良く、切傷発生回数が１又は２である実施例１及び２の蓋材は、蓋材の周縁に触れた際の手触りがソフトであり、手触りが良好であると評価できる。
【００３９】
【表２】
0005573475.tif 000003
【００４０】
〔ささくれ発生試験〕
本発明の蓋材のささくれ抑制効果を確認するために、実施例及び比較例で作製した蓋材について、蓋検査作業、及び充填輸送作業を行なって、作業終了後のささくれの有無を確認した。具体的には、蓋検査作業は、作製した蓋材の束を両手で保持して軽く湾曲させ、蓋材の反発力を利用して連続的にめくりながら、不具合の有無を目視にて確認する作業である。充填輸送作業は、カップ容器に内容物を充填し、カップ容器の開口部を蓋材で封止後、当該封止されたカップ容器を一定の手順に従って輸送する作業である。周縁が波形であり、ハーフカット線、ミシン線、及び切込みの外端部が谷部に位置する、実施例で作製した蓋材では、いずれの作業においてもささくれの発生はなかった。比較例で作製した蓋材では、ささくれの発生が確認された。
【００４１】
評価試験の結果より、本発明の蓋材は、手触りがよく、かつ、ささくれの発生が顕著に抑制されていることが確認された。
【産業上の利用可能性】
【００４２】
本発明の蓋材は、カップ容器の開口部を封止するための蓋体として広範に利用でき、特に、即席麺、菓子等の食品を包装するカップ容器の蓋体として好適に使用できる。
【符号の説明】
【００４３】
１１    蓋材周縁の波形
１２    仮想円
１３    仮想円
１４    山部
１５    谷部
１６    山部包絡線
１７    谷部包絡線
１８    振幅
２１    開口タブ
２２    ハーフカット線
２３    切込み
２４    ちぎり取りタブ
２５    剥離用タブハーフカット線
２６    湯切孔ハーフカット線
２７    ミシン線
２８    剥離用タブ
３１    ＰＥＴ層
３２    ウレタン系２液硬化型ドライラミネート用接着剤層
３３    グラビアインキ層
３４    片アート紙
３５    目止めニス層
３６    剥離ニス層
３７    ＬＤＰＥ層
３８    ＯＰＥ層
３９    アルミニウム層
４０    接着性樹脂層
４１    カップ容器
４１ａ  カップ容器の開口部上面
４２    湯切孔
【図１】
0005573475.tif 000004
【図２】
0005573475.tif 000005
【図３】
0005573475.tif 000006
【図４】
0005573475.tif 000007
【図５】
0005573475.tif 000008
【図６】
0005573475.tif 000009
【図７】
0005573475.tif 000010